(57)【要約】【課題】  クライアント数に依存せず、ＩＰアドレスの動的な変更にも対応可能な、ネットワーク性能測定監視装置を提供する。【解決手段】  ネットワーク性能測定監視装置１は、待ち行列（送信キュー）に登録されたサーバの通信記録データを端末装置２に送信し、待ち行列に通信記録データが登録されていなかった場合にはダミーデータを端末装置２に送信する。また、端末装置２は、受信したデータの中から通信記録データを抽出し、当該抽出された通信記録データと、自身の通信記録データとを保存して管理する。【選択図】      図１
2005110036.tif 000002
【特許請求の範囲】
【請求項１】
ネットワークを介して接続される端末装置との間でダミーデータを用いて通信を行うことによりネットワークの性能測定を行う、ネットワーク性能測定監視装置であって、
ダミーデータを生成するダミーデータ生成部と、
前記端末装置によって送信される通信記録データを監視し、当該通信記録データを優先して受信してメモリに登録する通信記録データ制御部と、
前記メモリを参照し、前記通信記録データが登録されていた場合に送信し、登録されていなかった場合に前記ダミーデータを送信する送信データ制御部と、
を備えたことを特徴とするネットワーク性能測定監視装置。
【請求項２】
前記通信記録データ制御部は、
前記メモリに前記通信記録データを登録する際に、前記メモリの容量制限を定義した閾値チェックを行い、当該閾値を超えた時にエラー処理を行うことを特徴とする請求項１に記載のネットワーク性能測定監視装置。
【請求項３】
前記送信データ制御部は、
前記通信記録データとダミーデータを識別する識別情報と、前記通信記録データの欠落を検出するためのシーケンス番号とが付与された送信データを、前記通信記録データおよびダミーデータから成るダウンロードデータに付与して送信することを特徴とする請求項１に記載のネットワーク性能測定監視装置。
【請求項４】
ネットワークを介して接続されるネットワーク性能測定監視装置との間でダミーデータを用いて通信を行うことによりネットワークの性能測定を行う端末装置であって、
前記ネットワーク性能測定監視装置から送信されるダミーデータと、当該ダミーデータに重畳され送信される通信記録データとを受信する受信データ制御部と、
前記受信したデータの中から通信記録データを抽出する通信記録データ抽出部と、
前記抽出された通信記録データと、自身の通信記録データとを保存して管理する通信記録データ保存管理部と、
を備えたことを特徴とする端末装置。
【請求項５】
ネットワーク性能測定監視装置と端末装置との間でネットワークを介しダミーデータの通信を行うことで前記ネットワークの性能測定を行うネットワーク性能測定監視システムであって、
前記ネットワーク性能測定監視装置は、前記端末装置によって送信される通信記録データを監視して当該通信記録データを優先して受信してメモリに登録し、当該メモリに前記通信記録データが登録されていた場合に送信して登録されていなかった場合に前記ダミーデータを送信し、
前記端末装置は、前記ネットワーク性能測定監視装置から送信されるダミーデータと、当該ダミーデータに重畳され送信される通信記録データとを受信し、当該受信したデータの中から通信記録データを抽出して当該抽出された通信記録データと自身の通信記録データとを保存して管理すること、
を特徴とするネットワーク性能測定監視システム。
【請求項６】
ネットワークを介して接続される端末装置との間でダミーデータを用いて通信を行うことによりネットワークの性能測定を行うネットワーク性能測定監視装置に用いられるコンピュータプログラムであって、
ダミーデータを生成する処理と、
前記端末装置によって送信される通信記録データを監視し、当該通信記録データを優先して受信してメモリに登録する処理と、
前記メモリを参照し、前記通信記録データが登録されていた場合に送信し、登録されていなかった場合に前記ダミーデータを送信する処理と、
をコンピュタータに実行させるネットワーク性能測定監視プログラム。
【請求項７】
ネットワークを介して接続されるネットワーク性能測定監視装置との間でダミーデータを用いて通信を行うことによりネットワークの性能測定を行う端末装置に用いられるコンピュータプログラムであって、
前記ネットワーク性能測定監視装置から送信されるダミーデータと、当該ダミーデータに重畳され送信される通信記録データとを受信する処理と、
前記受信したデータの中から通信記録データを抽出する処理と、
前記抽出された通信記録データと、自身の通信記録データとを保存して管理する処理と、
をコンピュータに実行させるネットワーク性能測定監視プログラム。
【発明の詳細な説明】
【技術分野】
【０００１】
本発明は、ネットワークを介して接続される端末装置との間でダミーデータを用いて通信を行うことによりネットワークの性能測定を行う、ネットワーク性能測定監視装置、ネットワーク性能測定監視システム、端末装置、ならびにネットワーク性能測定監視プログラムに関する。
【背景技術】
【０００２】
従来、ＩＰ（Internet Protocol）ネットワークを対象としたネットワーク性能測定監視方法として、ネットワークの一端に設置されたサーバから他端に設置されたクライアントに対し定期的に一定時間ダミーデータを送信して測定する、ＴＣＰ（Transmission Control Protocol）ダウンロード通信が用いられている。図７にその方法が概念的に示されている（例えば、非特許文献１、２参照）。
また、サーバ、クライアントの双方で、パケットの一部あるいは全部を記録した通信記録データ（以下、単にパケットダンプという）を保存し、プロトコルトレースやスループットの時系列変化の調査等、より詳細な解析を行う方法も用いられている（例えば、非特許文献３参照）。
【非特許文献１】週間アスキー２００３−７−１号、頁１７「ブロードバンドスピードランキング」http://speed,rbbtoday.com/
【非特許文献２】IEICE TRANS.INF & SYST.,VOL.E83-D.NO.5 MAY 2000「Development of The Flexible and General IP Evaluation Tool STAGE」
【非特許文献３】“A Framework for Gigabit-rate Packet Header Collection to Realize Cost-effective Internet Monitoring System”情報処理学会論文誌Vol.42、No.12-030
【０００３】
これらの性能測定監視方法を、図８に示されるように１台のサーバとＮ台のクライアントからなるネットワーク性能測定監視システムに適用した場合、以下に列挙する特徴（１）〜（３）が現れる。
（１）サーバでは、1ラウンドの測定につきＮ回(クライアント数分)の通信を行うため、サーバにＮ個のパケットダンプファイルが記録保存される。
（２）クライアントでは、それぞれ１ラウンドの測定につき1回(サーバ数分)の通信を行うため、各クライアントにそれぞれ１個のパケットダンプファイルが記録保存される。
（３）あるダウンロード通信に対するパケットダンプは、サーバとクライアントにそれぞれ１個ずつ保持され、これら２つのファイルの対応付けが必要となる。
ここで、「１ラウンド」とはＮ台のクライアントが１台のサーバに対して各１回のダウンロードを行うことを意味する。
【発明の開示】
【発明が解決しようとする課題】
【０００４】
上記した従来の性能測定監視方法を、図８に示されるように、１台のサーバとＮ台のクライアントからなるネットワーク性能測定監視システムに適用した場合、上記した特徴（１）〜（３）から以下に列挙する問題（ａ）〜（ｄ）が発生する。
（ａ）サーバ側では、クライアント数Ｎに比例した大量のパケットダンプファイルを記録、保存する必要が生じる。
（ｂ）クライアントが一般的なインターネットアクセス手段を介してサーバにアクセスする場合、ＩＰアドレスは非固定であるケースが大部分である。さらに、ＮＡＴ（Network Address Translation）等の技術によりクライアントのＩＰアドレスが変換された上でサーバと通信する可能性も高い。これに対し、従来、サーバ、クライアントのそれぞれでパケットダンプファイルを保持していたため、これらを一意に対応付けるための管理が煩雑となる。
（ｃ）解析を行うためには、一意に対応付けられた２つのパケットダンプファイルを、サーバあるいはクライアントのいずれか一方に収集する必要がある。このためのパケットダンプファイルの転送処理が別途必要となる。
（ｄ）サーバに保存されているパケットダンプファイルを、第３者、あるいは他のクライアントに不正に取得されないような不正アクセス対策を講じる必要がある。
【０００５】
本発明は上記事情に鑑みてなされたものであり、ダウンロードデータにパケットダンプを重畳させて転送し、端末装置に、サーバ、クライアント双方のパケットダンプデータを一括して記録保存することで、クライアント数に依存せず、ＩＰアドレスの動的な変更にも対応可能な、ネットワーク性能測定監視装置、システム、端末装置、ならびにネットワーク性能測定監視プログラムを提供することを目的とする。
【課題を解決するための手段】
【０００６】
上記した課題を解決するために本発明は、ネットワークを介して接続される端末装置との間でダミーデータを用いて通信を行うことによりネットワークの性能測定を行う、ネットワーク性能測定監視装置であって、ダミーデータを生成するダミーデータ生成部と、前記端末装置によって送信される通信記録データを監視し、当該通信記録データを優先して受信してメモリに登録する通信記録データ制御部と、前記メモリを参照し、前記通信記録データが登録されていた場合に送信し、登録されていなかった場合に前記ダミーデータを送信する送信データ制御部と、を備えたことを特徴とする。
【０００７】
また、本発明において、前記通信記録データ制御部は、前記メモリに前記通信記録データを登録する際に、メモリの容量制限を定義した閾値チェックを行い、当該閾値を超えた時にエラー処理を行うことを特徴とする。
【０００８】
また、本発明において、前記送信データ制御部は、前記通信記録データとダミーデータを識別する識別情報と、前記通信記録データの欠落を検出するためのシーケンス番号とが付与された送信データを、前記通信記録データおよびダミーデータから成るダウンロードデータに付与して送信することを特徴とする。
【０００９】
上記した課題を解決するために本発明は、ネットワークを介して接続されるネットワーク性能測定監視装置との間でダミーデータを用いて通信を行うことによりネットワークの性能測定を行う端末装置であって、前記ネットワーク性能測定監視装置から送信されるダミーデータと、当該ダミーデータに重畳され送信される通信記録データとを受信する受信データ制御部と、前記受信したデータの中から通信記録データを抽出する通信記録データ抽出部と、前記抽出された通信記録データと、自身の通信記録データとを保存して管理する通信記録データ保存管理部と、を備えたことを特徴とする。
【００１０】
上記した課題を解決するために本発明は、ネットワーク性能測定監視装置と端末装置との間でネットワークを介しダミーデータの通信を行うことで前記ネットワークの性能測定を行うネットワーク性能測定監視システムであって、前記ネットワーク性能測定監視装置は、前記端末装置によって送信される通信記録データを監視し、当該通信記録データを優先して受信してメモリに登録し、当該メモリに前記通信記録データが登録されていた場合に送信し、登録されていなかった場合に前記前記ダミーデータを送信し、前記端末装置は、前記ネットワーク性能測定監視装置から送信されるダミーデータと、当該ダミーデータに重畳され送信される通信記録データとを受信し、当該受信したデータの中から通信記録データを抽出し、抽出された通信記録データと自身の通信記録データとを保存して管理すること、を特徴とする。
【００１１】
上記した課題を解決するために本発明は、ネットワークを介して接続される端末装置との間でダミーデータを用いて通信を行うことによりネットワークの性能測定を行うネットワーク性能測定監視装置に用いられるコンピュータプログラムであって、ダミーデータを生成する処理と、前記端末装置によって送信される通信記録データを監視し、当該通信記録データを優先して受信してメモリに登録する処理と、前記メモリを参照し、前記通信記録データが登録されていた場合に送信し、登録されていなかった場合に前記前記ダミーデータを送信する処理と、をコンピュタータに実行させることを特徴とする。
【００１２】
上記した課題を解決するために本発明は、ネットワークを介して接続されるネットワーク性能測定監視装置との間でダミーデータを用いて通信を行うことによりネットワークの性能測定を行う端末装置に用いられるコンピュータプログラムであって、前記ネットワーク性能測定監視装置から送信されるダミーデータと、当該ダミーデータに重畳され送信される通信記録データとを受信する受信データ制御部と、前記受信したデータの中から通信記録データを抽出する処理と、前記抽出された通信記録データと、自身の通信記録データとを保存して管理する処理と、をコンピュータに実行させることを特徴とする。
【発明の効果】
【００１３】
本発明によれば、ネットワーク性能測定監視装置の送信データ制御部が、通信記録データ制御部によってメモリ（待ち行列）に登録されたサーバの通信記録データ（パケットダンプ）を端末装置に送信し、メモリに通信記録データが登録されていなかった場合にはダミーデータ生成部によって生成されるダミーデータを端末装置に送信することで、サーバに通信記録データが残らない。このため、端末装置（クライアント）の数に依存することなく通信記録データの管理が可能になり、サーバの負担を軽減したネットワーク性能測定監視システムを構築できる。
また、端末装置の通信記録データ抽出部で、受信データ制御部により受信したデータの中から通信記録データを抽出し、通信記録データ保存管理部が、先に抽出された通信記録データと、自身の通信記録データとを保存して管理することで、クライアントのＩＰアドレスの動的な変更やＮＡＴによるアドレス変換に影響されることなく通信記録データの管理が可能になる。また、端末装置で解析を行う場合に双方の通信記録データを収集するためのデータ転送が不要となり、更に、サーバ側の通信記録データが不正に取得される頻度を極力低減させることができる。
【発明を実施するための最良の形態】
【００１４】
図１は、本発明のネットワーク性能測定監視システムの接続形態を説明するために引用した図である。
図１において、符号１は、ネットワーク性能測定監視装置であって具体的にはサーバに実装される。符号２は、端末装置であり、ネットワーク性能測定監視装置１とは、インターネット等のネットワーク３を介して接続される。
ここで、図１を参照しながら概略動作説明を行う。ネットワーク性能測定監視装置１では、端末装置２とデータ通信を行いながら当該データ通信におけるパケットダンプというを取得している。そして、このパケットダンプを性能測定用に用いられるダミーデータと重畳してダウンロードデータとして利用する。
【００１５】
具体的に、ネットワーク性能測定監視装置１は、データ通信開始後、最初のパケットダンプを得るために一定量のダミーデータを生成して送信する（ａ）。以降、ネットワーク性能測定監視装置１は、端末装置２から送信されるパケットダンプを常時監視する（ｂ）。ここで、パケットダンプがある場合は優先して受信し、これを送信待ち行列（キュー）に登録する。
【００１６】
次に、ネットワーク性能測定監視装置１は、送信待ち行列をチェックする。ここで、パケットダンプが登録されていればそのパケットダンプを端末装置２に送信し、登録されていなければ、端末装置２にダミーデータを送信する（ｃ）。
一方、データ送信により生成されるパケットダンプの量が送信量を超える可能性がある。このため、送信待ち行列が登録されるキューの登録容量に閾値を設けている。これを上回る場合はエラー処理を行う。また、送信にあたり、ネットワーク性能測定監視装置１は、パケットダンプとダミーデータを識別するためのデータ種別、およびこのことに伴うパケットダンプ欠落を検出するためのシーケンス番号を、パケットダンプとダミーデータから成るダウンロードデータに付与して送信する。
【００１７】
端末装置２では、受信したダウンロードデータのデータ種別を識別し（ｄ）、パケットダンプのみをサーバ側パケットダンプファイルとして抽出して保存する（ｅ）。そして、このサーバ側パケットダンプファイル（ｈ）を、端末装置２でダウンロード時に別途取得しているクライアント側パケットダンプファイル（ｇ）と共に保存管理し、解析に備える。
【００１８】
図２に、本発明におけるネットワーク性能測定監視装置の内部構成が、図３に、本発明における端末装置の内部構成がそれぞれ機能展開され示されている。
図２に示されるように、本発明のネットワーク性能測定監視装置１は、ダミーデータ生成部１１と、通信記録データ制御部１２と、送信キュー（メモリ）１３と、送信データ制御部１４で構成される。
【００１９】
ダミーデータ生成部１１は、ダミーデータを生成して送信データ制御部１４へ供給する。また、通信記録データ制御部１２は、端末装置２によって送信されるパケットダンプを監視し、当該パケットダンプを優先して受信して送信待ち行列が登録される送信キュー１３に格納する機能を持つ。
送信データ制御部１４は、送信キュー１３を参照し、パケットダンプが登録されていた場合にそのパケットダンプを送信し、登録されていなかった場合にダミーデータ生成部１１により生成されるダミーデータを送信する機能を持つ。
なお、通信記録データ制御部１２は、送信キュー１３にパケットダンプを登録する際に、送信キュー１３の容量制限を定義した閾値チェックを行い、当該閾値を超えた時にエラー処理を行う。また、送信データ制御部１４は、パケットダンプとダミーデータを識別する識別情報と、パケットダンプの欠落を検出するためのシーケンス番号とが付与された送信データとを、パケットダンプおよびダミーデータに付与して送信する機能も併せ持つ。
【００２０】
図３に示されるように、本発明の端末装置２は、受信データ制御部２１と、通信記録データ抽出部２２と、通信記録データファイル２３（クライアント側）と、通信記録データファイル２４（サーバ側）と、通信記録データ保存管理部２５で構成される。
受信データ制御部２１は、ネットワーク性能測定監視装置１から送信されるダミーデータと、当該ダミーデータに重畳され送信されるパケットダンプとを受信して通信記録データ抽出部２２へ供給する。通信記録データ抽出部２２は、受信したデータの中からパケットダンプを抽出して通信記録データファイル２４へ格納する。また、通信記録データ保存管理部２５は、抽出され、通信記録データファイル２４に格納されたサーバ側パケットダンプと、端末装置自身のパケットダンプが格納される通信記録データファイル２３（クライアント）とを保存して解析用に管理する機能を持つ。
【００２１】
図４は、本発明のネットワーク性能測定監視装置の動作を説明するために引用したフローチャートであり、具体的には、本発明のネットワーク性能測定監視プログラムの処理手順を示す。
以下、図４に示すフローチャートを参照しながら、図２に示す本発明のネットワーク性能測定監視装置の動作について詳細に説明する。
ネットワーク性能測定監視装置１は、端末装置２との間でデータ通信を行いながら当該データ通信におけるパケットダンプを取得し、このパケットダンプをダウンロードデータとして利用するためのスヌープ処理を実行する。具体的には、端末装置２からダウンロード要求を受信することにより（Ｓ４１）、上記したスヌープ処理が起動される（Ｓ４２）。ここで、ダミーデータ生成部１１は、データ通信開始後、端末装置２から最初のパケットダンプを得るために一定量のダミーデータを生成する（Ｓ４３）。
【００２２】
ところで、通信記録データ制御部１２は、端末装置２から送信されるパケットダンプを常時監視している（Ｓ４４）。通信記録データ制御部１２は、パケットダンプがある場合は優先してそのパケットダンプを受信し（Ｓ４５）、これを送信キュー１３に登録する（Ｓ４７）。
通信記録データ制御部１２はまた、データ送信により生成されるパケットダンプの量が送信量を超える可能性があることから、送信キュー１３への登録容量に閾値を設けている。送信キューがフルになるまでパケットダンプを登録するが（Ｓ４６Ｎｏ、Ｓ４７）、ここで、送信キュー１３がフルの状態になった場合は（Ｓ４６Ｙｅｓ）、エラー処理を行う。
【００２３】
一方、スヌープ処理が起動されていない場合、送信データ制御部１４は、送信準備を整え（Ｓ４８Ｙｅｓ）、送信キュー１３をチェックしてパケットダンプが登録されていれば送信し（Ｓ４９Ｎｏ、Ｓ５１）、登録されていない場合にはダミーデータを送信する（Ｓ４９Ｙｅｓ、Ｓ５０）。このパケットダンプとダミーデータから成るダウンロードデータの送信にあたり、送信データ制御部１４は、双方のデータを識別するためのタイプ、およびこのことに伴うパケットダンプ欠落を検出するためのシーケンス番号を先のダウンロードデータに付与し、端末装置２でデータを受信する際の認識に役立てている。
以上の動作を送信キュー１３のサイズ分だけＳ繰り返し（Ｓ５２）、送信キュー１３へのパケットダンプの登録ならびに送信を行う（Ｓ４４〜Ｓ５１）。
【００２４】
図５に、端末装置で受信されるダウンロードデータのフォーマットの一例が示されている。ここでは、パケットダンプとダミーデータから成るダウンロードデータに、レングスの他に上記したタイプ、パケットダンプ欠落に伴うシーケンス番号が付与されている。
端末装置２では、受信データ制御部２１を介し、ダウンロードデータに付与されたタイプから受信したダウンロードデータのデータ種別を識別し、通信記録データ抽出部２２で、パケットダンプのみをサーバ側パケットダンプファイルとして通信記録データファイル２４（サーバ側）に保存する。そして、通信記録データ保存管理部２５では、その通信記録データファイル２４（サーバ側）を、端末装置２でダウンロード時に別途取得済みの通信記録データファイル２３（クライアント側）と共に保存管理し、解析のための準備を行う。
【実施例】
【００２５】
図６は、本発明のネットワーク性能測定監視装置１と端末装置２間で、ＣＧＩ（Common Gateway Interface）を用いた、ＨＴＴＰ（Hyper Text Transfer Protocol）／ＴＣＰ（Transmission Control Protocol）に基づくダウンロードを行うことで、ネットワーク性能測定監視を行う場合の一実施例を示す。
ここでは、ネットワーク性能測定監視装置１は、予めＣＧＩへのアクセスを提供するＷｅｂ（World Wide Web）サーバプログラム（図示せず）を起動しておく。一方、端末装置２は、Ｗｅｂクライアントプログラム２０を起動し、ネットワーク性能測定監視装置１に用意されたＣＧＩ＠ｗｗｗデーモン１０（ＣＧＩプログラム）にアクセスする。ＣＧＩプログラム１０は、アクセスした端末装置２のＩＰアドレスを取得し、これを引数としてデータ生成、転送を行うデータ転送サーバプログラムを起動する（データ送信＆ダミーテータ送信ａ／ｄ）。さらにＨＴＴＰリダイレクト（サーバからの応答の一つでＵＲＬ：Uniform Resource Locaterが変更されたことを通知する機能）を用いてクライアントをデータ転送サーバプログラムに誘導する。
【００２６】
ネットワーク性能測定監視装置１は、自身の使用しているＴＣＰポート番号と端末装置２のＩＰアドレスをフィルタ条件として、サーバ側パケットダンプの取得を行うパケットダンププログラム（ｂ）を起動し、その出力を転送データとして用いる。
次に、Ｗｅｂクライアント２０は、ＨＴＴＰリダイレクトで示されたＩＰアドレスとＴＣＰポート番号をフィルタ条件としてクライアント側パケットダンプ取得を行うパケットダンププログラム（ｆ）を起動してクライアントダンプファイルへの保存を行う（ｇ）。さらに、ネットワーク性能測定監視装置１にアクセスしてダウンロードを開始する。
ネットワーク性能測定監視装置１は、図４に示すフローチャートに従って、サーバ側パケットダンプを重畳したデータ転送を実行する。ここでは、送信キュー１３がフルである場合は、登録対象となるパケットダンプを破棄することを想定する。データ転送終了後は、自身ならびにパケットダンププログラム（ｂ）による処理を終了する。
【００２７】
一方、Ｗｅｂクライアント２０は、ダウンロード終了に伴いパケットダンププログラム（ｆ）の実行を終了する、次に、ダウンロードファイルに対して、パケットダンプ抽出プログラム（ｅ）を起動する。パケットダンプ抽出プログラム（ｅ）は、図５に示すデータフォーマットに従い、ダウンロードファイルからパケットダンプのみを抽出し、サーバ側パケットダンプファイルを作成する（ｈ）。また、破棄されたパケットダンプについては破棄されたバイト数を表示することができる。
【００２８】
以上説明のように本発明によれば、ダウンロードデータにパケットダンプを重畳させて転送し、端末装置２に、サーバ、クライアント双方のパケットダンプファイルを一括して記録保存することで、クライアント数に依存せず、かつ、ＩＰアドレスの動的な変更にも対応可能な、ネットワーク性能測定監視装置が提供できる。このことにより、ネットワーク性能測定監視装置１（サーバ側）にパケットダンプファイルが一切残らないため、測定クライアント数に依存しないネットワーク性能測定監視システムを構築することができ、測定と同時に、端末装置２に、サーバ側・クライアント側双方のパケットダンプファイルが記録保存されるため、クライアントＩＰアドレスの動的な変更や、ＮＡＴによる変換等に影響されることなく、２つののパケットダンプファイルを管理することが可能となる。更に、端末装置で解析を行う場合、２つのパケットダンプファイルを1箇所に集めるためのデータ転送が不要となり、 サーバ側パケットダンプデータが不正に取得される可能性が減る。
【００２９】
なお、図２に示すダミーデータ生成部１１、通信記録データ制御部１２、送信データ制御部１４、そして、図３に示す受信データ制御部２１、通信記録データ抽出部２２、通信記録データ保存管理部２５のそれぞれで実行される手順をコンピュータ読み取り可能な記録媒体に記録し、この記録媒体に記録されたプログラムをコンピュータシステムに読み込ませ、実行することにより本発明のネットワーク性能測定監視装置およびシステムが実現されるものとする。ここでいうコンピュータシステムとは、ＯＳや周辺機器等のハードウェアを含むものである。
【００３０】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３１】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３２】
【図１】本発明のネットワーク性能測定監視システムの接続形態を説明するために引用した図である。
【図２】本発明におけるネットワーク性能測定監視装置の内部構成を機能展開して示したブロック図である。
【図３】本発明における端末装置の内部構成を機能的に展開して示したブロック図である。
【図４】本発明のネットワーク性能測定監視装置の動作を説明するために引用したフローチャートである。
【図５】本発明で用いられるダウンロードデータの受信データフォーマットの一例を示す図である。
【図６】本発明のネットワーク性能測定監視装置と端末装置間でネットワーク性能測定監視を行う場合の実施例を示す図である。
【図７】従来のネットワーク性能測定監視方法を説明するために引用したシステム構成図である。
【図８】従来のネットワーク性能測定監視方法を説明するために引用したシステム構成図である。
【符号の説明】
【００３３】
１…ネットワーク性能測定監視装置、２…端末装置、３…ネットワーク、１１…ダミーデータ生成部、１２…通信記録データ制御部、１３…送信キュー、１４…送信データ制御部、２１…受信データ制御部、２２…通信記録データ抽出部、２３…通信記録データファイル（クライアント）、２４…通信記録データファイル（サーバ）、２５…通信記録データ保存管理部
【図１】
2005110036.tif 000003
【図２】
2005110036.tif 000004
【図３】
2005110036.tif 000005
【図４】
2005110036.tif 000006
【図５】
2005110036.tif 000007
【図６】
2005110036.tif 000008
【図７】
2005110036.tif 000009
【図８】
2005110036.tif 000010